(57)【要約】【課題】門扉を施錠する際に、回転錠の施錠操作が容易であって、しかも、施錠後に門扉パネルのばたつきが生じにくい門扉を提供する。【解決手段】門柱１０と、門柱１０に取付けられた門扉パネル２０と、門扉パネル２０に取付けられた錠部３０と、錠部３０の錠受けを有する固定部材６０とを備えた門扉Ｐであって、錠部３０は、門扉パネル２０の前後を貫通する軸部３１と、門扉パネル２０の前後にそれぞれ位置しており、軸部３１に回動可能に軸支された腕部３２，３３とを備え、錠受けは、腕部３２を受ける第一受部材４０と、他方の腕部３３を受ける第二受部材５０とを備え、第一受部材４０は、上方に開口して腕部３２の挿入を許容し、且つ、挿入された腕部３２の前後方向の移動を許容する切欠部４３を有し、第二受部材５０は、上方に開口して腕部３３の挿入を許容し、且つ、下方に向けて先細形状のテーパー部５３を有するように構成する。【選択図】        図１
2019138130.tif 000002
【特許請求の範囲】
【請求項１】
門柱と、前記門柱に取付けられた開閉可能な門扉パネルと、前記門扉パネルに取付けられた錠部と、前記錠部の錠受けを有する固定部材とを備えた門扉であって、
前記錠部は、門扉パネルの前後を貫通する軸部と、該門扉パネルの前後にそれぞれ位置しており、前記軸部に回動可能に軸支された一対の腕部とを備え、
前記錠受けは、一方の腕部を受ける第一受部材と、他方の腕部を受ける第二受部材とを備え、
第一受部材は、上方に開口して、前記一方の腕部の挿入を許容し、且つ、挿入された該腕部の前後方向の移動を許容する切欠部を有し、
第二受部材は、上方に開口して、前記他方の腕部の挿入を許容し、且つ、下方に向けて先細形状のテーパー部を有していることを特徴とする門扉。
【請求項２】
前記門扉パネルは、前記固定部材との隙間を上下にわたって塞ぐ戸当りを備え、前記戸当りは、幅方向に位置調整可能に取り付けられ、かつ、門扉パネルに対して第一受部材と同じ側に配されていることを特徴とする請求項１に記載の門扉。
【発明の詳細な説明】
【技術分野】
【０００１】
本発明は、門扉に関するもので、更に詳しくは、門扉の施錠装置に関する。
【背景技術】
【０００２】
住宅、工場、公園等の敷地境界部や隣地境界部に沿って取付けられるフェンスや塀において、人や自動車等が通行できるように門扉が設けられている。一般的には、門の両側に門柱が立設され、門柱に回動可能に門扉パネルが取付けられており、門扉パネルの回動操作によって開閉できる形態のものが多く用いられている。
【０００３】
門扉の形態としては、一枚パネルからなる片開き門扉と、二枚パネルからなる両開き門扉が多く用いられており、門扉を施錠する場合は、錠と錠受け具が用いられて、片開き門扉の場合は、門扉パネルに錠を取付け、門柱に錠受け具が取付けられており、両開き門扉の場合は、一方の門扉パネルに錠を取付け、他方の門扉パネルに錠受け具が取付けられている。
【０００４】
施錠装置としては、いわゆる、シリンダー錠タイプ、回転錠タイプ、閂タイプ等を挙げることができるが、この中で、回転錠タイプは比較的重量が軽く、操作性も優れており、広く用いられている。
【０００５】
回転錠タイプの施錠装置としては、例えば、特許文献１には一端が軸支され、該軸支部を支点に回動自在に設けられた可動側の門扉の開放端側の内外に、一体的に回動するハンドル兼用の施錠杆を回動自在に設け、施錠時に該施錠杆が門扉の開放端側に固定された門扉や枠および門柱などの固定部材を狭持して門扉の回動を阻止するようにした門扉錠が提案されている。そこで、この問題を解決するために、固定側の門柱や門扉等に施錠杆用の受け金具が不要の門扉が提案されている。
【先行技術文献】
【特許文献】
【０００６】
【特許文献１】実開平６−６６５８号公報
【発明の概要】
【発明が解決しようとする課題】
【０００７】
しかしながら、前記の門扉には次のような問題点があった。すなわち、門扉の開放端側に固定された門扉や枠および門柱などの固定部材の厚さ寸法に対して、施錠杆同士の先端の間隔はそれより広く設定されることが普通であるため、施錠後に扉が風を受けると、固定部材との隙間寸法に応じて門扉がばたついて、固定部材と施錠杆との接触による接触音による騒音が生じるおそれがあった。一方、施錠杆同士の先端の間隔を固定部材の厚さ寸法に合わせて設計することは可能であるが、各部材の僅かな寸法誤差や、施工時の僅かな施工誤差、各部材の僅かな反りや変形によって、施錠杆同士の先端の間隔が固定部材の厚さ寸法より狭くなるおそれがあり、そうすると施工しにくくなり、また、部材が擦れて傷や変形等の不具合が生じるおそれがあった。
【０００８】
本発明は、前記の如き問題点を解消し、門扉を施錠する際に、回転錠の施錠操作が容易であって、しかも、施錠後に門扉パネルのばたつきが生じにくい門扉を提供せんとするものである。
【課題を解決するための手段】
【０００９】
上記目的を達成するために、本発明は次のような構成としている。すなわち本発明に係る門扉は、門柱と、前記門柱に取付けられた開閉可能な門扉パネルと、前記門扉パネルに取付けられた錠部と、前記錠部の錠受けを有する固定部材とを備えた門扉であって、前記錠部は、門扉パネルの前後を貫通する軸部と、該門扉パネルの前後にそれぞれ位置しており、前記軸部に回動可能に軸支された一対の腕部とを備え、前記錠受けは、一方の腕部を受ける第一受部材と、他方の腕部を受ける第二受部材とを備え、第一受部材は、上方に開口して、前記一方の腕部の挿入を許容し、且つ、挿入された該腕部の前後方向の移動を許容する切欠部を有し、第二受部材は、上方に開口して、前記他方の腕部の挿入を許容し、且つ、下方に向けて先細形状のテーパー部を有していることを特徴とするものである。
【００１０】
本発明において、前記門扉パネルは、前記固定部材との隙間を上下にわたって塞ぐ戸当りを備え、前記戸当りは、幅方向に位置調整可能に取り付けられ、かつ、門扉パネルに対して第一受部材と同じ側に配されていることが好ましい。
【発明の効果】
【００１１】
本発明によれば、錠部は、門扉パネルの前後を貫通する軸部と、該門扉パネルの前後にそれぞれ位置しており、前記軸部に回動可能に軸支された一対の腕部とを備え、前記錠受けは、一方の腕部を受ける第一受部材と、他方の腕部を受ける第二受部材とを備え、第一受部材は、上方に開口して、前記一方の腕部の挿入を許容し、且つ、挿入された該腕部の前後方向の移動を許容する切欠部を有し、第二受部材は、上方に開口して、前記他方の腕部の挿入を許容し、且つ、下方に向けて先細形状のテーパー部を有しているので、一方の腕部は切欠部内に位置していても、他方の腕部をテーパー部の下方まで移動させれば、前後方向の移動が規制されるので、門扉パネルのばたつきを抑えることができる。
【００１２】
前記門扉パネルは、前記固定部材との隙間を上下にわたって塞ぐ戸当りを備え、前記戸当りは、幅方向に位置調整可能に取り付けられ、かつ、門扉パネルに対して第一受部材と同じ側に配されていれば、門扉と固定部材との僅かな施工誤差により間隔が広がったり、狭まったりしても、戸当りを位置調整して隙間を確実に塞ぎつつ、戸当りを配することによって第一受部材側の腕部の位置が門扉パネルから離れる方向に移動しても、該腕部は第一受部材を受けることを許容することができるので、門扉パネルのばたつきを抑えることができる。
【図面の簡単な説明】
【００１３】
【図１】本発明に係る門扉の実施の一形態を示す正面図である。
【図２】図１の平面図である。
【図３】図１のＡ−Ａ線の要部拡大断面図である。
【図４】図３のＢ−Ｂ線の要部拡大断面図である。
【図５】図１の錠受け付近の説明図である。
【図６】テーパー部と腕部との関係を示す説明図である。
【図７】本発明に係る門扉の他の実施形態を示す正面図である。
【図８】図１０の戸当り付近の分解説明図である。
【図９】図１０のＣ−Ｃ線の要部拡大断面図である。
【図１０】図９のＤ−Ｄ線の要部拡大断面図である。
【発明を実施するための形態】
【００１４】
次に、本発明を実施するための最良の形態について図面を参照し、具体的に説明する。
【００１５】
図１は本発明に係る門扉Ｐの実施の一形態を示す正面図、図２は図１の平面図であって、（ａ）は門扉パネル２０の回動操作の説明図、（ｂ）は門扉パネル２０が閉まった状態を示す説明図ある。すなわち、門扉Ｐは、通路の一端に位置する門柱１０と、門柱１０に取付けられた門扉パネル２０とを備えている。門扉パネル２０は回動側端部に錠部３０が取付けられている。また、錠部３０の錠受けを備えた固定部材６０が門柱１０と間隔をあけて設けられている。本形態に係る固定部材６０は門柱６１であって、門柱６１の後側及び前側に錠受としての第一受部材４０、第二受部材５０を有しており、通路の両端の門柱１０，６１の間に門扉パネル２０が左開きで配置されている。なお、図１において、門扉Ｐの手前側を前側、奥側を後側として説明するが、例えば、道路と敷地の境界部に本発明に係る門扉を設置する場合、手前側を敷地側となるようにしてもよく、奥側を敷地側となるようにしてもよい。
【００１６】
門柱１０は、本形態では、表面に塗装した丸パイプ状の鋼管の下端部を設置面に埋設して立設したものであって、上端部にはキャップが取付けられている。門柱１０は、本形態に限られるものではなく、例えば、形状としては角パイプ状のものでもよく、材質としてはアルミニウム合金製のものでもよい。また、門柱６１も、門柱１０と同様であるので、詳しい説明は省略する。
【００１７】
門扉パネル２０は、図１に示すように、左右一対の縦枠材２１，２２と、その間に取付けられたパネル材２３とを備えている。また、図２に示すように、縦枠材２１は、ヒンジ２４を介して門柱１０に連結されており、これにより、門扉パネル２０が門柱１０に対して、Ｒ１方向又はＲ２方向に回動可能となされる。
【００１８】
図３は図１のＡ−Ａ線の要部拡大断面図である。錠部３０は、門扉パネル２０の回動側端部に取付けられており、門扉パネル２０を前後方向に貫通して配置された棒状の軸部３１と、軸部３１の後側及び前側にそれぞれに取付けられた腕部３２，３３とを備えている。本形態においては、軸部３１は、門扉パネル２０の縦枠材２２を前後方向に貫通する貫通孔（図示せず）を挿通しており、前後の腕部３２，３３は、軸部３１に軸支されており、軸部３１を軸として回動可能となされている。
【００１９】
腕部３２，３３は、いずれも前後方向に薄い長板状であって、長手方向の一端部で軸部３１に固定されている。また長手方向の他端部は、門扉パネル２０から離れる方向に折り曲げられた折曲部３２ａ、３３ａを有しており、断面略Ｌ字状に形成されている。
【００２０】
本形態では、図３に示すように、門扉パネル２０は戸当り２５を備えており、門柱６１は戸当り２５を受ける受け部材６２を備えている。戸当り２５は、門扉パネル２０の前側に取付けられており、一端部が門扉パネル２０の縦枠材２２に固定されており、他端部は弾性部材２６を備え、弾性部材２６が受け部材６２と当接して、門扉パネル２０が閉じられる。そして、門扉パネル２０と固定部材６０としての門柱６１との隙間が戸当り２５によって塞がれる。
【００２１】
図４は図３のＢ−Ｂ線の要部拡大断面図、図５は図１の錠受け付近の説明図である。第一受部材４０は、錠部３０の腕部３２の錠受けであって、門柱６１の後側に取付けられており、本形態では、門柱６１の後側に固定される基部４１と、基部４１から外方に向かって形成された縦板状の受部４２と、受部４２において、上方に開口して切り欠かれており腕部３２が開口側から挿入可能であって挿入された腕部３２が前後方向に移動可能な状態で配置される切欠部４３とを備えている。切欠部４３はＵ字状に形成されており、本形態では、腕部３２の厚さが４ｍｍに対して、切欠部４３の幅は１４ｍｍである。
【００２２】
切欠部４３内に腕部３２が配置された際、腕部３２の折曲部３２ａは受部４２を間にして門扉パネル２０の反対側に位置している。そして、折曲部３２ａと受部４２はそれぞれ貫通孔３２ｂ、４２ａを有しており、南京錠（図示せず）等を掛けることによって、腕部３２を切欠部４３内に保持することができる。
【００２３】
第二受部材５０は、錠部３０の腕部３３の錠受けであって、門柱６１の前側に取付けられており、本形態では、門柱６１の前側に固定される基部５１と、基部５１から外方に向かって形成された縦板状の受部５２と、受部５２において上方に開口して切り欠かれており、下方に向けて先細形状のテーパー部５３とを備えており、腕部３３をテーパー部５３内に挿入可能である。
【００２４】
テーパー部５３内に腕部３３が配置された際、腕部３３の折曲部３３ａは受部５２を間にして門扉パネル２０の反対側に位置している。そして、折曲部３３ａと、折曲部３３ａと受部５２とはそれぞれ貫通孔３３ｂ、５２ａを有しており、南京錠（図示せず）等を掛けることによって、腕部３２をテーパー部５３内に保持することができる。従って、南京錠等は、門扉Ｐの前側にも後側にもいずれにも掛けることができる。
【００２５】
テーパー部５３は、上方の開口部５３ａと、開口部５３ａよりも幅狭の底部５３ｂと、開口部５３ａから底部５３ｂへ向かう傾斜部５３ｃ，５３ｄとを有しており、台形状に形成されている。底部５３ｂの前後方向の位置は、腕部３３の回動軌道に合わせている。また、底部５３ｂの前後方向の寸法は、腕部３３の下端部の前後寸法よりもやや大きい。これにより、腕部３３の下端部に加工時に生じるバリ等が僅かに残った場合や、腕部３３やテーパー部５３の外表面に塗膜が形成されていても、腕部３３の下端部を底部５３ｂに誘導することができる。
【００２６】
なお、各部材の僅かな加工誤差や、組立時に生じる僅かな誤差、各部材自身の僅かな反り等の変形による僅かな誤差によって、底部５３ｂの前後方向の位置と腕部３３の回動軌道との関係がずれる場合がある。その場合でも、腕部３３が開口部５３ａを通過できるように十分な幅を確保しておけば、図６に示すように、腕部３３の下端部が傾斜部５３ｃに当接する場合がある。
【００２７】
すなわち、図６はテーパー部５３と腕部３３との関係を示す説明図であって、腕部３３の下端部がテーパー部５３の傾斜部５３ｃに当接しても、そのまま、傾斜部５３ｃに沿って腕部３３を底部５３ｂに向けて誘導すると、腕部３３の弾性的に変形し、又は、門扉パネル２０が後側に移動して弾性部材２６が弾性的に縮むことによって、腕部３３を底部５３ｂ側に移動させることができる。なお、図示しないが、腕部３３が傾斜部５３ｄに当接した場合であっても、同様に底部５３ｂに向けて誘導すると、腕部３３の弾性的に変形し、又は、門扉パネル２０が前側に移動することによって、腕部３３を底部５３ｂ側に移動させることができる。なお、弾性部材２６が弾性的に縮む場合や、門扉パネル２０が前側に移動する場合は、門扉パネル２０の後側の錠部３０の腕部３２も連動して前後方向に移動するが、腕部３２は、第一受部材４０の受部４２の切欠部４３内で前後方向に移動可能に挿入されているので、腕部３２と切欠部４３の外縁部との接触を防ぐことができる。
【００２８】
この状態で上記の南京錠等によって施錠しておけば、風圧により門扉パネル２０がばたつくように作用しても、テーパー部５３内の腕部３３の下端部は、テーパー部５３の下方に位置することとなるので、比較的狭い間隔の傾斜部５３ｃ、５３ｄによって、前後方向の移動が制限され、また腕部３３が移動したとしても、接触箇所は、主に腕部３３の下部のみであるから、接触音が生じたとしても小さいものとなる。
【００２９】
図７〜図１０は、本発明に係る門扉Ｐの他の実施形態を示す説明図であって、図７は本形態に係る門扉Ｐの正面図、図８は戸当り２５付近の分解説明図、図９は図７のＣ−Ｃ線の要部拡大断面図、図１０は図９のＤ−Ｄ線の要部拡大断面図である。
【００３０】
本形態の門扉Ｐは、図１，図３等に示された門扉Ｐと比べると、主に、門扉パネル２０に対する戸当り２５の取付構造、及び第一受部材４０と第二受部材５０との位置関係が異なり、それについて説明する。それ以外で、既に説明した内容と同じ構成要素には同じ符号を付し、その説明は省略する。
【００３１】
戸当り２５は、縦枠材２２の前側に固定されている。具体的には、戸当り２５は、縦板状の固定部２５ａを有しており、固定部２５ａは、縦枠材２２の上下方向に沿って形成されている。固定部２５ａは、所定の高さ位置に前後方向に貫通する横長孔２５ｂを複数個有している。横長孔２５ｂは、ビスＢを介して、縦枠材２２の所定の位置に掲載されたビス孔２２ａに螺着されることにより固定される。また、軸部３１が配置される位置には、横長孔２５ｃが形成されており、軸部３１が前後方向に貫通可能となされている。
【００３２】
これにより、戸当り２５は、横長孔２５ｂを通ってビスＢがビス孔２２ａに螺着できる範囲で該戸当り２５の幅方向である左右方向に移動させることができる。そして、弾性部材２６が固定部材６０としての門柱６１の受け部材６２に当接し、前側から見て、門柱６１と縦枠材２２との間の隙間が覆われるように、位置調整して戸当り２５を固定することができる。
【００３３】
また、本形態では、第一受部材４０は門扉Ｐの前側に配置され、第二受部材５０は門扉Ｐの後側に配置されており、図１〜図６に示された第一受部材４０、第二受部材とは前後逆である。
【００３４】
錠部３０の腕部３３は、本形態では、図８に示すように、縦枠材２２の前側の戸当り２５の更に前側に配置されている。これにより、戸当り２５の前後方向の厚さ寸法の分、門扉パネル２０から前側に離れることとなる。したがって、本形態であっても、第一受部材４０の切欠部４３の前後方向の幅寸法は、腕部３３が挿入可能とするとともに、第一受部材４０の貫通孔４２ａから折り曲げ部３３ａの貫通孔３３ｂに南京錠等を掛けて施錠することができるようになされている。
【００３５】
戸当り２５は、門扉Ｐの後側、すなわち、門扉パネル２０の後側に配置することは可能であり、その際は、後側の腕部３２が、第二受部材５０のテーパー部５３の底部５３ｂに誘導できればよい。例えば、戸当り２５の前後方向の厚さ寸法の分、底部５３ｂの前後方向の位置を変更してもよく、腕部３２をテーパー部５３内に挿入し、腕部３２等を弾性的に変形させながら、底部５３ｂに誘導してもよい。しかしながら、これでは、腕部３２や第二受部材５０に大きな歪みが生じるおそれがある。
【００３６】
したがって、本形態のように、腕部３３（３２）の前後方向の移動を許容する切欠部４３を有する第一受部材４０と同じ側に、幅方向に位置調整可能な本形態に係る戸当り２５を配置し、第二受部材５０と同じ側は、腕部３２（３３）をテーパー部５３の底部５３ｂに誘導しやすくするために、戸当り２５を配置しない方がより好ましい。
【００３７】
本形態において、門扉パネル２０を門柱１０，６１間に取付ける際、まずは、ヒンジ２４を介して、門扉パネル２０の縦枠材２１と門柱１０とを連結し、門柱１０に対して門扉パネル２０を回動可能に取付ける。続いて、門扉パネル２０を閉じる位置まで回動させて、門柱６１との隙間が覆われるように戸当り２５を幅方向に位置調整して配置し、ビスＢを介して縦枠材２２に戸当り２５を固定する。続いて、軸部３１を縦枠材２２及び戸当り２５を前後方向に貫通させて配置し、腕部３２，３３を軸部３１の両端に固定する。
【００３８】
以上、本発明の門扉について、実施形態に基づいて説明したが、本発明は、これらの実施形態に限定されるものではない。本発明の要旨を逸脱しない範囲内で当業者が思いつく各種変形を施したものも本発明の範囲内に含まれる。具体的には、門柱１０を左側として門扉パネル２０が右開きとしたものや、門扉パネル２０を二枚用いた両開き門扉において、一方の門扉パネル２０に錠部３０を取付け、他方の門扉パネル２０に錠受けを取付けたものも含まれる。
【産業上の利用可能性】
【００３９】
本発明によれば、門扉を施錠する際に、回転錠の施錠操作が容易であって、しかも、施錠後に門扉パネルのばたつきが生じにくい門扉を提供することができるので、片開き門扉、両開き門扉問わず、門扉として好適に利用できる。
【符号の説明】
【００４０】
１０  門柱
１１  キャップ
２０  門扉パネル
２１、２２  縦枠材
２２ａ  ビス孔
２３  パネル材
２４  ヒンジ
２５  戸当り
２５ａ  固定部
２５ｂ、２５ｃ  横長孔
２６  弾性部材
３０  錠部
３１  軸部
３２、３３  腕部
３２ａ、３３ａ  折曲部
３２ｂ、３３ｂ  貫通孔
４０  第一受部材
４１  基部
４２  受部
４２ａ  貫通孔
４３  切欠部
５０  第二受部材
５１  基部
５２  受部
５２ａ  貫通孔
５３  テーパー部
５３ａ  開口部
５３ｂ  底部
５３ｃ、５３ｄ  傾斜部
６０  固定部材
６１  門柱
６２  受け部材
Ｂ    ビス
Ｐ    門扉
【図１】
2019138130.tif 000003
【図２】
2019138130.tif 000004
【図３】
2019138130.tif 000005
【図４】
2019138130.tif 000006
【図５】
2019138130.tif 000007
【図６】
2019138130.tif 000008
【図７】
2019138130.tif 000009
【図８】
2019138130.tif 000010
【図９】
2019138130.tif 000011
【図１０】
2019138130.tif 000012